(57)【要約】【課題】充電器の設置場所の自由度を向上させる。【解決手段】充電器（１００）は、車両に搭載されたバッテリを充電可能な充電器である。該充電器は、塀（１）の一部にはめ込まれた筺体（１０）と、該筺体に接続された一又は複数の配線（１１、１２）と、を備える。少なくとも、筺体の第１面と、該第１面の第１辺を第１面と共有する該筺体の第２面と、が塀を構成する建材（１ａ）に接している。筺体は、第１面において第１辺に対向する第２辺を、該第１面と共有する筺体の第３面と、該第３面において該第２辺に対向する第３辺を該第３面と共有する該筺体の第４面とを有している。第４面に少なくとも第３面側が開放された開口を有し、一又は複数の配線を該筺体の外部に引き出すための凹部が、該第３面に形成されている。【選択図】図２
2020074672.tif 000002
【特許請求の範囲】
【請求項１】
車両に搭載されたバッテリを充電可能な充電器であって、
塀の一部にはめ込まれた筺体と、
前記筺体に接続された一又は複数の配線と、
を備え、
少なくとも、前記筺体の第１面と、前記第１面の第１辺を前記第１面と共有する前記筺体の第２面と、が前記塀を構成する建材に接しており、
前記第１面において前記第１辺に対向する第２辺を、前記第１面と共有する前記筺体の第３面には、前記第３面において前記第２辺に対向する第３辺を前記第３面と共有する前記筺体の第４面に、少なくとも前記第３面側が開放された開口を有し、前記一又は複数の配線を前記筺体の外部に引き出すための凹部が形成されている
ことを特徴とする充電器。
【発明の詳細な説明】
【技術分野】
【０００１】
本発明は、例えば電気自動車、プラグインハイブリッド車等の車両に搭載されたバッテリを充電可能な充電器の技術分野に関する。
【背景技術】
【０００２】
この種の充電器として、例えば、電気自動車に設けられた給電部に接続される充電用接続部と、該充電用接続部を末端に有する充電用ケーブルと、非使用時に充電用接続部を保持する保持部とを備える充電スタンドが提案されている（特許文献１参照）。
【先行技術文献】
【特許文献】
【０００３】
【特許文献１】特開２０１０−２５９２７７号公報
【発明の概要】
【発明が解決しようとする課題】
【０００４】
しかしながら、上述の背景技術で挙げたような、スタンド型やポール型の充電器では、例えば本体部に接続された配線等に起因して、設置場所の状況に応じて、回転軸が地面と水平となるように該本体部を回転させることが困難である。すると、充電器の設置場所の自由度が低下する可能性があるという技術的問題点がある。
【０００５】
本発明は、例えば上記問題点に鑑みてなされたものであり、設置場所の自由度を向上させることができる充電器を提供することを課題とする。
【課題を解決するための手段】
【０００６】
請求項１に記載の充電器は、上記課題を解決するために、車両に搭載されたバッテリを充電可能な充電器であって、塀の一部にはめ込まれた筺体と、前記筺体に接続された一又は複数の配線と、を備え、少なくとも、前記筺体の第１面と、前記第１面の第１辺を前記第１面と共有する前記筺体の第２面と、が前記塀を構成する建材に接しており、前記第１面において前記第１辺に対向する第２辺を、前記第１面と共有する前記筺体の第３面には、前記第３面において前記第２辺に対向する第３辺を前記第３面と共有する前記筺体の第４面に、少なくとも前記第３面側が開放された開口を有し、前記一又は複数の配線を前記筺体の外部に引き出すための凹部が形成されている。
【０００７】
本発明の作用及び他の利得は次に説明する実施するための形態から明らかにされる。
【図面の簡単な説明】
【０００８】
【図１】実施例に係る充電器の概要を示す概略構成図である。
【図２】実施例に係る電器筺体に形成された切り欠きの一例を示す図である。
【図３】実施例に係る電器筺体に形成された切り欠きの他の例を示す図である。
【図４】実施例に係る電器筺体及び固定部材の概要を示す概略構成図である。
【図５】実施例に係る固定部材の一変形例を示す概略構成図である。
【図６】実施例の第１変形例に係る電器筺体の概要を示す概略構成図である。
【図７】実施例の第２変形例に係る電器筺体の概要を示す概略構成図である。
【発明を実施するための形態】
【０００９】
本発明の充電器に係る実施形態について説明する。
【００１０】
実施形態に係る充電器は、車両に搭載されたバッテリを充電可能な充電器であって、塀の一部にはめ込まれた筺体と、前記筺体に接続された一又は複数の配線と、を備え、少なくとも、前記筺体の第１面と、前記第１面の第１辺を前記第１面と共有する前記筺体の第２面と、が前記塀を構成する建材に接しており、前記第１面において前記第１辺に対向する第２辺を、前記第１面と共有する前記筺体の第３面には、前記第３面において前記第２辺に対向する第３辺を前記第３面と共有する前記筺体の第４面に、少なくとも前記第３面側が開放された開口を有し、前記一又は複数の配線を前記筺体の外部に引き出すための凹部が形成されている。
【００１１】
実施形態に係る充電器によれば、例えば電気自動車やハイブリッド車等の車両に搭載されたバッテリを充電可能に構成されている。充電器は、例えばブロック塀等である塀の一部にはめこまれた筺体と、該筺体に接続された一又は複数の配線とを備えて構成されている。尚、筺体には、例えば充電のオン・オフ等を制御するための制御回路、ユーザに動作状態等を報知するためのＬＥＤ等が搭載されている。
【００１２】
筺体の複数の面のうち、第１面と、該第１面の第１辺を該第１面と共有する第２面とが、塀を構成する建材に接している。尚、「接する」は、筺体の面が直接建材に接する場合に限らず、例えば接着剤や固定部材等を介して、筺体の面が建材に対向するように配置されている場合も含んでよい。また、第１面及び第２面に加えて、筺体の他の面が建材に接していてもよい。
【００１３】
筺体は、更に、第１面において第１辺に対向する第２辺を該第１面と共有する第３面と、該第３面において該第２辺に対向する第３辺を該第３面と共有する第４面と、を有している。第３面には、第４面に、少なくとも該第３面側が開放された開口を有し、一又は複数の配線を筺体の外部に引き出すための凹部が形成されている。
【００１４】
つまり、上記凹部は、筺体の第３面側から見ると、少なくとも第４面側が開放された切り欠きである。或いは、上記凹部は、筺体の第４面側から上記凹部を見ると、少なくとも第３面側が開放された切り欠きである。
【００１５】
ここで、本願発明者の研究によれば、以下の事項が判明している。即ち、スタンド型やポール型の充電器では、例えば本体部の形状や、本体部に接続された配線等に起因して、設置場所の状況に応じて、回転軸が地面と水平となるように該本体部を回転させることが困難である。仮に本体部を、地面に水平な軸周りに回転させることができたとしても、例えば配線のつなげ直しのために、筺体を分解したり、筺体に複数個のコネクタ部を形成したりする必要があり、製造コストや設置手順等が増加するおそれがある。或いは、例えば配線を筺体の外面に沿って引き回すことにより、外観寸法が変わってしまうおそれがある。
【００１６】
しかるに本実施形態では、上述の如く、筺体の第４面に、少なくとも該第３面側が開放された開口を有する凹部が、筺体の第３面に形成されている。このため、筺体に接続された一又は複数の配線が、凹部内を比較的自由に移動することができるので、筺体が、地面に水平な軸周りに回転されたとしても、配線のつなげ直しをする必要がない。加えて、外観寸法が変わることもない。
【００１７】
以上の結果、本実施形態に係る充電器によれば、設置場所の自由度を向上させることができる。
【００１８】
本実施形態に係る充電器の一態様では、前記一又は複数の配線のうち少なくとも１本の配線は、前記凹部の底面から引き出され、前記凹部の深さは、前記少なくとも１本の配線に係る最小曲げ半径以上である。
【００１９】
この態様によれば、筺体が地面に水平な軸周りに回転されたとしても、配線に意図的に外力を加えることなく、外観寸法を維持することができ、実用上非常に有利である。配線が複数本ある場合には、各配線に係る最小曲げ半径の最大値以上とすればよい。
【００２０】
尚、「最小曲げ半径（“許容曲げ半径”とも言う）」とは、配線（電線）の持つ特性を失わない範囲で、該配線を曲げることのできる半径を意味する。
【００２１】
或いは、本実施形態に係る充電器の他の態様では、前記一又は複数の配線のうち少なくとも１本の配線は、前記凹部の一の側面から引き出され、前記一の側面から、前記一の側面に対向する前記凹部の他の側面、又は前記第１面、前記第２面及び前記第３面各々に隣接する前記筺体の第５面に沿う平面に下ろした垂線の長さは、前記少なくとも１本の配線に係る最小曲げ半径以上である。
【００２２】
この態様によれば、筺体が地面に水平な軸周りに回転されたとしても、配線に意図的に外力を加えることなく、外観寸法を維持することができ、実用上非常に有利である。
【００２３】
或いは、本実施形態に係る充電器の他の態様では、前記配線として２本の配線を備え、前記２本の配線の一方の配線は、前記凹部の底面から引き出され、前記２本の配線の他方の配線は、前記凹部の一の側面から引き出され、前記凹部の深さは、前記一方の配線に係る最小曲げ半径以上であり、前記一の側面から、前記一の側面に対向する前記凹部の他の側面、又は前記第１面、前記第２面及び前記第３面各々に隣接する前記筺体の第５面に沿う平面に下ろした垂線の長さは、前記他方の配線に係る最小曲げ半径以上である。
【００２４】
この態様によれば、筺体が地面に水平な軸周りに回転されたとしても、配線に意図的に外力を加えることなく、外観寸法を維持することができ、実用上非常に有利である。加えて、筺体が地面に水平な軸周りに回転されたとしても、配線の配置に関して、一の配線が他の配線に影響を及ぼすことを抑制することができる。
【００２５】
本実施形態に係る充電器の他の態様では、前記筺体を前記塀に固定するための固定部材を更に備える。
【００２６】
この態様によれば、筺体を比較的容易にして塀に固定することができ、実用上非常に有利である。加えて、例えばコンクリート等により筺体を塀に固定する場合に比べて、容易に筺体を取り外すことができるので、筺体のメンテナンスや交換等を容易に行うことができる。
【００２７】
本実施形態に係る充電器の他の態様では、前記一又は複数の配線は、先端に前記車両に接続される充電用接続部を有する充電ケーブルを含み、前記充電ケーブルを保持する保持部材を更に備える。
【００２８】
この態様によれば、比較的容易にして充電ケーブルを収容することができ、実用上非常に有利である。
【実施例】
【００２９】
本発明の充電器に係る実施例について、図面に基づいて説明する。
【００３０】
先ず、実施例に係る充電器の概要について、図１を参照して説明する。図１は、実施例に係る充電器の概要を示す概略構成図である。尚、図１において点線は、塀内部の配線を示している。
【００３１】
図１において、本実施例に係る充電器１００は、複数個の建築用空洞コンクリートブロック１ａ（以降、適宜“ブロック１ａ”と称する）が積み上げられて構成されるブロック塀１の一部にはめ込まれた電器筺体１０と、該電器筺体に接続された２本の配線と、保持部材２０とを備えて構成されている。
【００３２】
充電器１００は、例えば電気自動車やプラグインハイブリッド車等の車両に搭載されたバッテリを充電可能に構成されている。尚、本実施例では、充電器１００を有線方式の充電器として説明するが、本発明は、非接触（無線）方式の充電器にも適用可能である。有線方式の充電器１００を利用すれば、例えば電気自動車等に搭載されたバッテリを充電するために、車載ケーブルを取り出す必要がないので、実用上非常に有利である。
【００３３】
電器筺体１０には、後述する図２等に示すように、配線を電器筺体１０の外部に引き出すための構造である切り欠きが形成されている。このため、電器筺体１０は、図１（ａ）に示すように、該電器筺体１０の長辺がＸ軸に沿うように該電器筺体１０を設置すること（以降、適宜“横設置”と称する）もできるし、図１（ｂ）に示すように、長辺がＺ軸に沿うように該電器筺体１０を設置すること（以降、適宜“縦設置”と称する）もできる。
【００３４】
電器筺体１０とブロック１ａとの間に隙間が生じる場合には、例えば図１（ｂ）に示すように、電器筺体１０とブロック１ａとの間に目隠しカバー２を設置すればよい。
【００３５】
次に、電器筺体１０に形成された、本発明に係る「凹部」の一例としての、切り欠きについて、図２及び図３を参照して説明する。図２は、実施例に係る電器筺体に形成された切り欠きの一例を示す図である。図３は、実施例に係る電器筺体に形成された切り欠きの他の例を示す図である。
【００３６】
電器筺体１０に形成された切り欠きは、該電器筺体１０を正面からは（つまり、図１に示したような状態では）見えないように形成されている。このため、図２及び図３では、主に、電器筺体１０の背面側から見た、該電器筺体１０の外観を示している。
【００３７】
切り欠きは、図２に示すように、電器筺体１０の背面から見えるように形成されていてもよいし、図３に示すように、電器筺体１０の背面からも見えないように形成されていてもよい。
【００３８】
尚、実施例に係る「背面」は、本発明に係る「第５面」の一例である。実施例に係る「側面Ａ」及び「側面Ｂ」は、夫々、本発明に係る「第３面」及び「第４面」の一例である。或いは、実施例に係る「側面Ａ」及び「側面Ｂ」は、夫々、本発明に係る「第４面」及び「第３面」の他の例である。
【００３９】
図２及び図３に示すように、電器筺体１０には、先端に車両の給電部に接続される充電用接続部（図示せず）を有する充電ケーブル（プラグ充電線）１１と、電器筺体１０に電力を供給するための電源線１２と、が接続されている。
【００４０】
尚、実施例に係る「側面Ａ」を本発明に係る「第３面」と解釈すれば、充電ケーブル１１は、本発明に係る「凹部の側面」から引き出されていることとなり、電源線１２は、本発明に係る「凹部の底面」から引き出されていることとなる。他方、実施例に係る「側面Ｂ」を本発明に係る「第３面」と解釈すれば、充電ケーブル１１及び電源線１２は、本発明に係る「凹部の側面」から引き出されていることとなる。
【００４１】
ここで、電器筺体１０に形成された切り欠きの寸法について説明する。
【００４２】
切り欠きに係る「長さＡ」（図２側面Ａ参照）は、電器筺体１０が横設置された場合の充電ケーブル１１の最小曲げ半径以上の長さに設定されている。切り欠きに係る「長さＢ」（図２背面参照）は、電器筺体１０が横設置された場合の電源線１２の最小曲げ半径以上の長さに設定されている。切り欠きに係る「長さＣ」（図２側面Ｂ参照）は、電器筺体１０が縦設置された場合の充電ケーブル１１の最小曲げ半径以上の長さに設定されている。
【００４３】
尚、電器筺体１０が縦設置された場合、電源線１２は曲がらずに鉛直方向に延びるので、該電源線１２の最小曲げ半径は考慮しなくてよい。図３における長さＡ、Ｂ及びＣは、図２における長さＡ、Ｂ及びＣと同じである。
【００４４】
上述の如く、切り欠きの寸法を設定することにより、電器筺体１０の外観寸法を変えることなく、該電器筺体１０を横設置又は縦設置することができる。
【００４５】
次に、電器筺体１０を横設置する場合の一例について、図４を参照して説明する。図４は、実施例に係る電器筺体及び固定部材の概要を示す概略構成図である。尚、電器筺体１０は、典型的には、ブロック塀１の施工時に行われる。
【００４６】
ここでは、電器筺体１０を、固定部材３１及び、ボックス状の固定部材３２を用いて、ブロック塀１の一部にはめ込む場合について説明する。
【００４７】
図４に示すように、ブロック１ａが積み上げられた後に、固定部材３１の突起部及び固定部材３２の突起部がブロック１ａに設けられた空洞部内に挿入されるように、固定部材３１及び固定部材３２が夫々設置される。その後ブロック１ａに設けられた空洞部内にコンクリートが流し込まれ固められる。
【００４８】
流し込まれたコンクリートが硬化した後に、固定部材３１及び固定部材３２の間に電器筺体１０がはめ込まれ、該電器筺体１０の内側から、例えばネジやボルト等によって、固定部材３１及び固定部材３２に電器筺体１０が固定される。
【００４９】
固定部材３２には、充電ケーブル１１（図２参照）を保持する保持部材２０や、電器筺体１０から引き出された配線を隠すための化粧カバー等の付属品が取り付けられる。
【００５０】
尚、固定部材が設置される前に、ブロック１ａに設けられた空洞部内にコンクリートが流し込まれた場合は、流し込まれたコンクリートが硬化した後に、突起部のない固定部材３３及び固定部材３４（図５参照）を、アンカーボルトによりブロック塀１に固定し、電器筺体１０を固定部材３３及び固定部材３４に固定すればよい。
【００５１】
＜第１変形例＞
次に、実施例に係る充電器の第１変形例について、図６を参照して説明する。図６は、実施例の第１変形例に係る電器筺体の概要を示す概略構成図である。
【００５２】
図６に示すように、第１変形例に係る電器筺体１０には、１本の配線のみ接続されている。
【００５３】
図６（ａ）に示すように配線が引き出されている場合、切り欠きの寸法は、長さＢ（図２参照）が、電器筺体１０が横設置された場合の配線に係る最小曲げ半径以上の長さに設定されていればよく、長さＡ及びＣ（図２参照）については任意の長さに設定することができる。
【００５４】
図６（ｂ）に示すように配線が引き出されている場合、切り欠きの寸法は、長さＡが、電器筺体１０が横設置された場合の配線に係る最小曲げ半径以上の長さに設定されており、長さＣが、電器筺体１０が縦設置された場合の配線に係る最小曲げ半径以上の長さに設定されていればよく、長さＢについては任意の長さに設定することができる。
【００５５】
＜第２変形例＞
次に、実施例に係る充電器の第２変形例について、図７を参照して説明する。図７は、実施例の第２変形例に係る電器筺体の概要を示す概略構成図である。
【００５６】
図７に示すように、第２変形例に係る電器筺体１０には、３本の配線が接続されている。
【００５７】
図７（ａ）に示すように配線が引き出されている場合、配線ａ、ｂ及びｃに係る最小曲げ半径を考慮して長さＡ、Ｂ及びＣ（図２参照）を設定して切り欠きの寸法を決定する必要がある。ここでは特に、長さＡが、電器筺体１０が横設置された場合の配線ａ及びｂ各々に係る最小曲げ半径の最大値以上に設定されている。長さＣが、電器筺体１０が縦設置された場合の配線ａ及びｂ各々に係る最小曲げ半径の最大値以上に設定されている。
【００５８】
図７（ｂ）に示すように配線が引き出されている場合、長さＢのみが配線ａ、ｂ及びｃ各々に係る最小曲げ半径の最大値以上に設定されていればよく、長さＡ及びＣについては任意の長さに設定することができる。
【００５９】
図７（ｃ）に示すように配線が引き出されている場合、長さＡが、電器筺体１０が横設置された場合の配線ａ、ｂ及びｃ各々に係る最小曲げ半径の最大値以上に設定されており、長さＣが、電器筺体１０が縦設置された場合の配線ａ、ｂ及びｃ各々に係る最小曲げ半径の最大値以上に設定されている。長さＢについては任意の長さに設定することができる。
【００６０】
尚、電器筺体１０に接続されている配線は４本以上であってもよい。
【００６１】
本発明は、上述した実施形態に限られるものではなく、特許請求の範囲及び明細書全体から読み取れる発明の要旨或いは思想に反しない範囲で適宜変更可能であり、そのような変更を伴う充電器もまた本発明の技術的範囲に含まれるものである。
【符号の説明】
【００６２】
１…ブロック塀、１ａ…建築用空洞コンクリートブロック、２…目隠しカバー、１０…電器筺体、１１…充電ケーブル、１２…電源線、２０…保持部材、３１、３２、３３、３４…固定部材、１００…充電器
【図１】
2020074672.tif 000003
【図２】
2020074672.tif 000004
【図３】
2020074672.tif 000005
【図４】
2020074672.tif 000006
【図５】
2020074672.tif 000007
【図６】
2020074672.tif 000008
【図７】
2020074672.tif 000009